【手続補正書】
【提出日】平成29年2月15日(2017.2.15)
【手続補正１】
【補正対象書類名】特許請求の範囲
【補正対象項目名】全文
【補正方法】変更
【補正の内容】
【特許請求の範囲】
【請求項１】
クロック信号を伝搬するためのクロック経路と、ここにおいて、前記クロック経路は、複数のトランジスタを含む、
前記クロック信号を生成するように構成されたクロック源と、ここにおいて、前記クロック信号は、前記クロック経路内の前記トランジスタのしきい値電圧を超える高電圧に対応するハイ状態を有する、
データ信号を伝搬するためのデータ経路と、ここにおいて、前記データ経路は、複数のトランジスタを含む、
前記データ信号を生成するように構成されたデータ源と、ここにおいて、前記データ信号は、前記データ経路内の前記トランジスタのしきい値電圧未満の低電圧に対応するハイ状態を有する、
前記クロック経路から前記クロック信号を受信し、前記データ経路から前記データ信号を受信し、前記クロック信号を使用して前記データ信号をラッチするように構成されたフロップと、
ここにおいて、前記クロック信号が、前記高電圧と前記低電圧との間で電圧スイングを有する、
を備える、低電力デバイス。
【請求項２】
前記クロック経路と前記フロップとの間に結合され、変換されたクロック信号を生成するために、前記クロック経路からの前記クロック信号の前記電圧スイングを変換するように構成された変換器をさらに備え、前記フロップが、前記変換されたクロック信号を使用して前記データ信号をラッチし、前記変換器が好ましくは、前記クロック信号の前記電圧スイングを大きくするように構成されている、請求項１に記載の低電力デバイス。
【請求項３】
前記フロップが、前記低電圧によって給電される複数のトランジスタを備える、請求項１に記載の低電力デバイス。
【請求項４】
低電力電源で前記高電圧を前記低電圧に変換するためのスイッチドキャパシタＤＣ−ＤＣコンバータをさらに備え、前記低電力電源が、前記データ経路内の前記トランジスタに給電するために使用される、請求項１に記載の低電力デバイス。
【請求項５】
前記スイッチドキャパシタＤＣ−ＤＣコンバータが、
キャパシタと、
交互に、前記キャパシタを充電し、前記キャパシタを前記低電力電源に放電するように構成された複数のスイッチと
を備える、請求項４に記載の低電力デバイス。
【請求項６】
前記キャパシタが、前記クロック経路からのキャパシタンスを含む、請求項５に記載の低電力デバイス。
【請求項７】
前記複数のスイッチが、ほぼ前記高電圧の電圧を有する高電力電源に前記キャパシタの端子を結合することによって、前記キャパシタを充電するように構成されている、請求項５に記載の低電力デバイス。
【請求項８】
前記複数のスイッチが、前記低電力電源に前記キャパシタの前記端子を結合することによって、前記キャパシタを放電するように構成されている、請求項７に記載の低電力デバイス。
【請求項９】
複数のトランジスタを備えるクロック経路を介してフロップにクロック信号を送信することと、ここにおいて、前記クロック信号は、前記クロック経路内の前記トランジスタのしきい値電圧を超える高電圧に対応するハイ状態を有する、
複数のトランジスタを備えるデータ経路を介して前記フロップにデータ信号を送信することと、ここにおいて、前記データ信号は、前記データ経路内の前記トランジスタのしきい値電圧未満の低電圧に対応するハイ状態を有する、
前記クロック信号を使用して前記フロップで前記データ信号をラッチすることと、
ここにおいて、前記クロック信号が、前記高電圧と前記低電圧との間で電圧スイングを有する、
を備える、低電力動作のための方法。
【請求項１０】
変換されたクロック信号を生成するために、前記クロック信号の前記電圧スイングを変換することをさらに備え、前記データ信号が、前記変換されたクロック信号を使用して前記フロップでラッチされ、前記クロック信号の前記電圧スイングを変換することが好ましくは、前記クロック信号の前記電圧スイングを大きくすることを備える、請求項９に記載の方法。
【請求項１１】
前記低電圧で前記フロップ内の複数のトランジスタに給電することをさらに備える、請求項９に記載の方法。
【請求項１２】
低電力電源で前記高電圧を前記低電圧に変換することと、
前記低電力電源を使用して前記データ経路内の前記複数のトランジスタに給電することと
をさらに備える、請求項９に記載の方法。
【請求項１３】
前記高電圧を前記低電圧に変換することが、交互に、キャパシタを充電し、前記キャパシタを前記低電力電源に放電することを備え、前記キャパシタが好ましくは、前記クロック経路からのキャパシタンスを含む、請求項１２に記載の方法。
【請求項１４】
前記キャパシタを充電することが、ほぼ前記高電圧の電圧を有する高電力電源に前記キャパシタの端子を結合することを備える、請求項１３に記載の方法。
【請求項１５】
前記キャパシタを前記放電することが、前記低電力電源に前記キャパシタの前記端子を結合することを備える、請求項１４に記載の方法。
【手続補正２】
【補正対象書類名】明細書
【補正対象項目名】００７０
【補正方法】変更
【補正の内容】
【００７０】
[0088]本開示の先の説明は、当業者が本開示を作成または使用することを可能にするために提供される。本開示に対する様々な修正は、当業者には容易に明らかであり、本明細書で定義されている一般的な原理は、本開示の要旨または範囲から逸脱することなく他の変形形態に適用され得る。したがって、本開示は、本明細書で説明されている例に限定されることを意図されておらず、本明細書で開示されている原理と新規な特徴と一致する最も広い範囲を与えられるべきである。
以下に本願発明の当初の特許請求の範囲に記載された発明を付記する。
［Ｃ１］
クロック信号を伝搬するためのクロック経路と、ここにおいて、前記クロック経路は、複数のトランジスタを含む、
前記クロック信号を生成するように構成されたクロック源と、ここにおいて、前記クロック信号は、前記クロック経路内の前記トランジスタのしきい値電圧を超える高電圧に対応するハイ状態を有する、
データ信号を伝搬するためのデータ経路と、ここにおいて、前記データ経路は、複数のトランジスタを含む、
前記データ信号を生成するように構成されたデータ源と、ここにおいて、前記データ信号は、前記データ経路内の前記トランジスタのしきい値電圧未満の低電圧に対応するハイ状態を有する、
前記クロック経路から前記クロック信号を受信し、前記データ経路から前記データ信号を受信し、前記クロック信号を使用して前記データ信号をラッチするように構成されたフロップと
を備える、低電力デバイス。
［Ｃ２］
前記クロック信号が、ほぼ前記高電圧と前記低電圧との間で電圧スイングを有する、Ｃ１に記載の低電力デバイス。
［Ｃ３］
前記クロック経路と前記フロップとの間に結合され、変換されたクロック信号を生成するために、前記クロック経路からの前記クロック信号の前記電圧スイングを変換するように構成された変換器をさらに備え、前記フロップが、前記変換されたクロック信号を使用して前記データ信号をラッチする、Ｃ２に記載の低電力デバイス。
［Ｃ４］
前記変換器が、前記クロック信号の前記電圧スイングを大きくするように構成されている、Ｃ３に記載の低電力デバイス。
［Ｃ５］
前記フロップが、前記低電圧によって給電される複数のトランジスタを備える、Ｃ１に記載の低電力デバイス。
［Ｃ６］
低電力電源で前記高電圧を前記低電圧に変換するためのスイッチドキャパシタＤＣ−ＤＣコンバータをさらに備え、前記低電力電源が、前記データ経路内の前記トランジスタに給電するために使用される、Ｃ１に記載の低電力デバイス。
［Ｃ７］
前記スイッチドキャパシタＤＣ−ＤＣコンバータが、
キャパシタと、
交互に、前記キャパシタを充電し、前記キャパシタを前記低電力電源に放電するように構成された複数のスイッチと
を備える、Ｃ６に記載の低電力デバイス。
［Ｃ８］
前記キャパシタが、前記クロック経路からのキャパシタンスを含む、Ｃ７に記載の低電力デバイス。
［Ｃ９］
前記複数のスイッチが、ほぼ前記高電圧の電圧を有する高電力電源に前記キャパシタの端子を結合することによって、前記キャパシタを充電するように構成されている、Ｃ７に記載の低電力デバイス。
［Ｃ１０］
前記複数のスイッチが、前記低電力電源に前記キャパシタの前記端子を結合することによって、前記キャパシタを放電するように構成されている、Ｃ９に記載の低電力デバイス。
［Ｃ１１］
複数のトランジスタを備えるクロック経路を介してフロップにクロック信号を送信することと、ここにおいて、前記クロック信号は、前記クロック経路内の前記トランジスタのしきい値電圧を超える高電圧に対応するハイ状態を有する、
複数のトランジスタを備えるデータ経路を介して前記フロップにデータ信号を送信することと、ここにおいて、前記データ信号は、前記データ経路内の前記トランジスタのしきい値電圧未満の低電圧に対応するハイ状態を有する、
前記クロック信号を使用して前記フロップで前記データ信号をラッチすることと
を備える、低電力動作のための方法。
［Ｃ１２］
前記クロック信号が、ほぼ前記高電圧と前記低電圧との間で電圧スイングを有する、Ｃ１１に記載の方法。
［Ｃ１３］
変換されたクロック信号を生成するために、前記クロック信号の前記電圧スイングを変換することをさらに備え、前記データ信号が、前記変換されたクロック信号を使用して前記フロップでラッチされる、Ｃ１２に記載の方法。
［Ｃ１４］
前記クロック信号の前記電圧スイングを変換することが、前記クロック信号の前記電圧スイングを大きくすることを備える、Ｃ１３に記載の方法。
［Ｃ１５］
前記低電圧で前記フロップ内の複数のトランジスタに給電することをさらに備える、Ｃ１１に記載の方法。
［Ｃ１６］
低電力電源で前記高電圧を前記低電圧に変換することと、
前記低電力電源を使用して前記データ経路内の前記複数のトランジスタに給電することと
をさらに備える、Ｃ１１に記載の方法。
［Ｃ１７］
前記高電圧を前記低電圧に変換することが、交互に、キャパシタを充電し、前記キャパシタを前記低電力電源に放電することを備える、Ｃ１６に記載の方法。
［Ｃ１８］
前記キャパシタが、前記クロック経路からのキャパシタンスを含む、Ｃ１７に記載の方法。
［Ｃ１９］
前記キャパシタを充電することが、ほぼ前記高電圧の電圧を有する高電力電源に前記キャパシタの端子を結合することを備える、Ｃ１７に記載の方法。
［Ｃ２０］
前記キャパシタを放電することが、前記低電力電源に前記キャパシタの端子を結合することを備える、Ｃ１９に記載の方法。
［Ｃ２１］
データ信号を伝搬するためのデータ経路と、
前記データ経路から前記データ信号を受信し、クロック信号を受信し、前記クロック信号を使用して前記データ信号をラッチするように構成された第１のフロップと、
前記データ経路から前記データ信号を受信し、前記クロック信号の遅延されたバージョンを受信し、前記クロック信号の前記遅延されたバージョンを使用して前記データ信号をラッチするように構成された第２のフロップと、
前記第１および第２のフロップの出力間の不一致を検出するように構成された回路と、
前記検出された不一致に基づいて前記電圧を調整するように構成された電圧調整器と
を備える、電圧を調整するためのデバイス。
［Ｃ２２］
前記データ経路が、複数のトランジスタを備え、前記電圧が、前記データ経路内の前記トランジスタに給電するために使用される、Ｃ２１に記載のデバイス。
［Ｃ２３］
前記電圧が、前記データ経路内の前記トランジスタのしきい値電圧未満である、Ｃ２２に記載のデバイス。
［Ｃ２４］
前記回路が、前記第１および第２のフロップを含む複数のフロップ対に関する検出された不一致を受信し、カウント値を生成するために前記受信された不一致の数をカウントするように構成されており、前記電圧調整器が、前記カウント値に基づいて前記電圧を調整するように構成されている、Ｃ２１に記載のデバイス。
［Ｃ２５］
前記電圧調整器が、前記カウント値がしきい値未満である場合、前記電圧を低減するように構成されている、Ｃ２４に記載のデバイス。
［Ｃ２６］
データ経路を介して第１および第２のフロップにデータ信号を送信することと、
クロック信号を使用して前記第１のフロップで前記データ信号をラッチすることと、
前記クロック信号の遅延されたバージョンを使用して前記第２のフロップで前記データ信号をラッチすることと、
前記第１および第２のフロップの出力間の不一致を検出することと、
前記検出された不一致に基づいて前記電圧を調整することと
を備える、電圧を調整するための方法。
［Ｃ２７］
前記データ経路が、複数のトランジスタを備え、前記電圧で前記データ経路内の前記トランジスタに給電することをさらに備える、Ｃ２６に記載の方法。
［Ｃ２８］
前記電圧が、前記データ経路内の前記トランジスタのしきい値電圧未満である、Ｃ２７に記載の方法。
［Ｃ２９］
前記第１および第２のフロップを含む複数のフロップ対に関する不一致を受信することと、
カウント値を生成するために前記受信された不一致の数をカウントすることと
をさらに備え、前記電圧を調整することが、前記カウント値に基づいて前記電圧を調整することを備える、Ｃ２６に記載の方法。
［Ｃ３０］
前記電圧を調整することが、前記カウント値がしきい値未満である場合、前記電圧を低減することを備える、Ｃ２９に記載の方法。